(57)【要約】    【課題】  安全に湯切りを行うことができる容器の湯切蓋を提供すること。    【解決手段】  本発明では、容器本体の上部開口に湯切蓋を分離可能に設け、この湯切蓋の端縁に湯切口を形成するとともに、湯切蓋に補強リブを形成し、この補強リブで囲まれた部分に容器本体と湯切蓋とを挟持するための指掛を設けた。しかも、前記指掛の表面に指掛であることを表示する凸状の文字で形成した滑り止め部を設けた。また、本発明では、前記補強リブを湯切口へ向けて湯切蓋の端縁に沿って形成して、この補強リブと容器本体の上部開口との間に湯を容器本体の内部から湯切口へと誘導するための誘導溝を形成するとともに、前記補強リブを湯切口の端縁に沿って形成した。【選択図】      図１
2005119668.tif 000002
【特許請求の範囲】
【請求項１】
容器本体の上部開口に湯切蓋を分離可能に設け、この湯切蓋の端縁に湯切口を形成するとともに、湯切蓋に補強リブを形成し、この補強リブで囲まれた部分に容器本体と湯切蓋とを挟持するための指掛を設けたことを特徴とする容器の湯切蓋。
【請求項２】
前記指掛の表面に滑り止め部を形成したことを特徴とする請求項１に記載の容器の湯切蓋。
【請求項３】
前記滑り止め部は、前記指掛の表面に指掛であることを表示する凸状の文字で形成したことを特徴とする請求項２に記載の容器の湯切蓋。
【請求項４】
前記補強リブを湯切口へ向けて湯切蓋の端縁に沿って形成して、この補強リブと容器本体の上部開口との間に湯を容器本体の内部から湯切口へと誘導するための誘導溝を形成したことを特徴とする請求項１〜請求項３のいずれかに記載の容器の湯切蓋。
【請求項５】
前記補強リブを湯切口の端縁に沿って形成したことを特徴とする請求項１〜請求項４のいずれかに記載の容器の湯切蓋。
【請求項６】
前記湯切蓋の湯切口と対向する位置に空気抜きを形成し、これらの湯切口と空気抜きとを結ぶ仮想線を中心にして左右対称な位置に前記指掛を形成したことを特徴とする請求項１〜請求項５のいずれかに記載の容器の湯切蓋。
【発明の詳細な説明】
【技術分野】
【０００１】
本発明は、容器本体の上部開口に設けて内部の湯を排出させるための湯切口を形成した湯切蓋に関するものである。
【背景技術】
【０００２】
従来より、うどんやそばやラーメンなどの生麺類のインスタント食品として、生麺類を一端湯に浸し、その後、その湯を排出することで生麺類を食するに適した状態とし、その後に、生麺類をつゆやソースに浸して食するようにしたものがあった。
【０００３】
かかるインスタント食品の容器としては、プラスチック製のどんぶり形状の容器本体の上部開口に紙製の蓋を貼着し、この蓋に湯を排出するための湯切口と空気抜きとを設けていた。
【０００４】
そして、空気抜きから湯を容器本体の内部に注ぎ、所定時間経過後に湯切口から内部を湯を排出するようにしていた（たとえば、特許文献１参照）。
【特許文献１】特開２００３−２２１０５８号公報
【発明の開示】
【発明が解決しようとする課題】
【０００５】
ところが、上記従来の容器では、容器本体の上部開口に蓋を貼着していたために、容器自体のコストが増大してしまうとともに、容器本体を蓋との貼着作業に多大な労力と費用とを要していた。
【０００６】
そのため、容器を、容器本体の上部開口に蓋を分離可能に載設した構造とすることが考えられる。
【０００７】
しかしながら、容器本体と蓋とを分離できるようにしてしまうと、湯を排出する際に誤って容器本体から蓋が外れてしまうおそれがあることから、排湯時に容器本体と蓋とを強固に挟持してしまうと、指の押圧力によって蓋が破損してしまい、その破損部分から湯が漏出してしまい、火傷を負う危険があった。
【０００８】
そこで、本発明者らは、湯切りのできる容器の形態について鋭意研究を重ねたところ、容器本体と分離できる湯切蓋の安全な構造を見出し、本発明をなすに至った。
【課題を解決するための手段】
【０００９】
すなわち、請求項１に係る本発明では、容器の湯切蓋において、容器本体の上部開口に湯切蓋を分離可能に設け、この湯切蓋の端縁に湯切口を形成するとともに、湯切蓋に補強リブを形成し、この補強リブで囲まれた部分に容器本体と湯切蓋とを挟持するための指掛を設けることにした。
【００１０】
また、請求項２に係る本発明では、前記請求項１に係る本発明において、前記指掛の表面に滑り止め部を形成することにした。
【００１１】
また、請求項３に係る本発明では、前記請求項２に係る本発明において、前記滑り止め部は、前記指掛の表面に指掛であることを表示する凸状の文字で形成することにした。
【００１２】
また、請求項４に係る本発明では、前記請求項１〜請求項３のいずれかに係る本発明において、前記補強リブを湯切口へ向けて湯切蓋の端縁に沿って形成して、この補強リブと容器本体の上部開口との間に湯を容器本体の内部から湯切口へと誘導するための誘導溝を形成することにした。
【００１３】
また、請求項５に係る本発明では、前記請求項１〜請求項４のいずれかに係る本発明において、前記補強リブを湯切口の端縁に沿って形成することにした。
【００１４】
また、請求項６に係る本発明では、前記請求項１〜請求項５のいずれかに係る本発明において、前記湯切蓋の湯切口と対向する位置に空気抜きを形成し、これらの湯切口と空気抜きとを結ぶ仮想線を中心にして左右対称な位置に前記指掛を形成することにした。
【発明の効果】
【００１５】
そして、本発明では、以下に記載する効果を奏する。
【００１６】
すなわち、請求項１に係る本発明では、容器の湯切蓋において、容器本体の上部開口に湯切蓋を分離可能に設け、この湯切蓋の端縁に湯切口を形成するとともに、湯切蓋に補強リブを形成し、この補強リブで囲まれた部分に容器本体と湯切蓋とを挟持するための指掛を設けているため、指掛の周囲が補強リブによって補強されることになるので、湯切りを行う際に容器本体と湯切蓋とを強固に挟持しても湯切蓋が破損してしまうことが無く、安全に湯切りを行うことができる。
【００１７】
また、請求項２に係る本発明では、指掛の表面に滑り止め部を形成しているため、湯切りを行う際に容器本体を湯切蓋とを確実に挟持することができ、これによっても、安全に湯切りを行うことができる。
【００１８】
また、請求項３に係る本発明では、滑り止め部を指掛の表面に指掛であることを表示する凸状の文字で形成しているため、凸状の文字で表示と滑り止めとを兼用することができるので、滑り止め部を設けたことによる湯切蓋の製造コストの増大を防止できるとともに、目視により指掛の位置を容易に確認することができる。
【００１９】
また、請求項４に係る本発明では、補強リブを湯切口へ向けて湯切蓋の端縁に沿って形成して、この補強リブと容器本体の上部開口との間に湯を容器本体の内部から湯切口へと誘導するための誘導溝を形成しているため、容器本体内部の湯を誘導溝から湯切口の外部へと円滑に排出させることができる。
【００２０】
また、請求項５に係る本発明では、補強リブを湯切口の端縁に沿って形成しているため、容器本体の内部の湯の一部が湯切口の端縁の補強リブで一端堰き止められることになり、湯切口から一気に排出された大量の湯が飛散することに起因する火傷の危険を未然に回避することができるとともに、湯切口から湯の排出に伴ってうどんやそばなどが誤って排出されてしまうのを防止することができる。
【００２１】
また、請求項６に係る本発明では、湯切蓋の湯切口と対向する位置に空気抜きを形成し、これらの湯切口と空気抜きとを結ぶ仮想線を中心にして左右対称な位置に指掛を形成しているため、両手で容器本体と湯切蓋とを強固に挟持することができ、安全に湯切りを行うことができる。
【発明を実施するための最良の形態】
【００２２】
以下に本発明の具体的な実施の形態について図面を参照しながら説明する。
【００２３】
本発明に係る容器１は、図１に示すように、略どんぶり形状の容器本体２と略円板状の湯切蓋３とで構成しており、この湯切蓋３は、容器本体２の上部に形成された円形状の開口４に覆設される。
【００２４】
容器本体２は、図１〜図５に示すように、上部の開口４の内周縁に内側から外側に向けて徐々に高くなる傾斜状の段差５を形成するとともに、開口４の外周縁に断面視で略逆Ｕ字状の周縁６を形成している。
【００２５】
湯切蓋３は、容器本体２の段差５の上面に載置され、図１〜図５に示すように、一端（図２中の上端）を直線状に切断して端縁と容器本体２の開口４との間に湯切口７を形成する一方、この湯切口７と対向する位置（図２中の下端）を半円弧状に切断して端縁と容器本体２の開口４との間に空気抜き８を形成し、これらの湯切口７と空気抜き８とを結ぶ仮想直線Ｌを中心にして左右対称な位置に一対の指掛9,10を形成している。
【００２６】
これにより、容器１は、両手で容器本体２と湯切蓋３とを強固に挟持することができるようになっている。
【００２７】
また、湯切蓋３は、指掛9,10の表面に指掛部分であることを表示するための文字「指掛」とその文字の周囲を囲む長円とを上方に向けて凸状に形成しており、これらの文字及び長円とで指掛9,10の表面に滑り止め部22,23を形成している。なお、湯切口７の近傍及び空気抜き８の近傍にも湯切口部分や空気抜き部分であることを表示するための文字「湯切口」や「空気抜き」をそれぞれ形成している。
【００２８】
さらに、湯切蓋３は、表面に補強リブ11を裏側に向けて凸状に形成している。
【００２９】
この補強リブ11は、湯切蓋３の外周縁に沿って形成した外周補強リブ12と、湯切蓋３の中央部分に円形状に形成した内周補強リブ13と、これらの外周補強リブ12と内周補強リブ13との間に湯切蓋３の中心から外方へ向けて放射状に形成した４本の中間補強リブ14,15,16,17とで構成している。
【００３０】
しかも、外周補強リブ12は、空気抜き８から湯切口７へ向けて湯切蓋３の外周端縁に沿って円弧状に形成した左右一対の左右外周補強リブ18,19と、湯切口７の端縁に沿って直線状に形成した湯切口外周補強リブ20と、空気抜き８の端縁に沿って円弧状に形成した空気抜き外周補強リブ21とで構成している。
【００３１】
そして、湯切蓋３は、左右外周補強リブ18（19）の中央部分と内周補強リブ13の左右中途部分と中間リブ14,15（16,17）とで囲まれた円弧形の島状部分に指掛９（10）を形成している。
【００３２】
すなわち、左右の指掛9,10は、周囲を左右外周補強リブ18（19）と内周補強リブ13と中間リブ14,15（16,17）とで囲まれていることになる。
【００３３】
このように、湯切蓋３は、補強リブ11で囲まれた部分に容器本体２と湯切蓋３とを挟持するための指掛9,10を設けることによって、指掛9,10の周囲を補強リブ11で補強している。
【００３４】
これにより、容器１は、湯切りを行う際に容器本体２と湯切蓋３とを強固に挟持しても湯切蓋３が破損してしまうことが無くなり、したがって、湯切時に容器本体２と湯切蓋３とを強固に挟持することができて、安全に湯切りを行うことができる。
【００３５】
しかも、湯切蓋３は、指掛9,10の表面に滑り止め部22,23を形成することによって、湯切りを行う際に容器本体２を湯切蓋３とを確実に挟持することができるようになっており、より一層安全に湯切りを行うことができる。
【００３６】
さらに、その滑り止め部22,23が指掛9,10の表面に指掛部分であることを表示する凸状の文字で形成されているので、凸状の文字で表示機能と滑り止め機能とを兼用することができ、滑り止め部22,23を設けたことによる湯切蓋３の製造コストの増大を防止できるとともに、目視により指掛9,10の位置を容易に確認することができる。
【００３７】
また、湯切蓋３は、空気抜き８から湯切口７へ向けて湯切蓋３の端縁に沿って左右外周補強リブ18,19を形成することによって、この左右外周補強リブ18,19と容器本体２の上部の開口４との間に湯を容器本体２の内部から湯切口７へと誘導するための左右一対の円弧状の誘導溝24,25を形成している。
【００３８】
これにより、湯切り時に容器本体２の内部の湯が誘導溝24,25に沿って流れ、湯切口７の外部へと円滑に湯を排出させることができる。
【００３９】
また、湯切蓋３は、湯切口７の端縁に沿って湯切口外周補強リブ20を形成することによって、容器本体２の内部の湯の一部を湯切口７の端縁の湯切口外周補強リブ20で一端堰き止めるようにしている。
【００４０】
これにより、湯切口７から一気に排出された大量の湯が飛散することに起因する火傷の危険を未然に回避することができるとともに、湯切口７から湯の排出に伴ってうどんやそばなどが誤って排出されてしまうのを防止することができる。
【図面の簡単な説明】
【００４１】
【図１】容器を示す斜視図。
【図２】湯切蓋の表面を示す平面図。
【図３】湯切蓋の裏面を示す平面図。
【図４】図２のＩ−Ｉ断面図。
【図５】図２のII−II断面図。
【符号の説明】
【００４２】
１  容器
２  容器本体
３  湯切蓋
４  開口
７  湯切口
８  空気抜き
9,10  指掛
11  補強リブ
12  外周補強リブ
13  内周補強リブ
14,15,16,17  中間補強リブ
18,19  左右外周補強リブ
20  湯切口外周補強リブ
21  空気抜き外周補強リブ
22,23  滑り止め部
24,25  誘導溝
【図１】
2005119668.tif 000003
【図２】
2005119668.tif 000004
【図３】
2005119668.tif 000005
【図４】
2005119668.tif 000006
【図５】
2005119668.tif 000007